(57)【要約】【課題】  固体撮像素子の欠陥画素を撮影時に正確に検出することができる、レンズ交換可能な撮像装置を提供する。【解決手段】  ＣＰＵ２１又は欠陥画素検出部２３は、レンズ１からの種別（型番）を示す情報に基づいて、欠陥画素検出部２３において欠陥画素の判定に用いる閾値を「高」、「中」、「低」のいずれかに定める。欠陥画素検出部２３は、撮影時に画素毎に順次入力される出力レベルについて、隣接画素間の出力レベル差を取り、出力レベル差が閾値を超えたら、その画素を欠陥画素と判定する。閾値を超えなければ、正常な画素と判定する。【選択図】  図１
2007019959.tif 000002
【特許請求の範囲】
【請求項１】
固体撮像素子を用いて撮影を行い、撮像データの画素毎の出力レベル差に基づいて欠陥画素の判定を行うレンズ交換可能な固体撮像素子を用いた撮像装置において、
装着されているレンズの種別を識別するレンズ識別手段と、
前記レンズ識別手段が識別した前記レンズの種別に基づいて前記レンズの光学特性を求め、前記求めた光学特性に応じて前記固体撮像素子の欠陥画素判定に用いる前記出力レベル差の閾値を定める欠陥画素検出手段と
を備えていることを特徴とする撮像装置。
【請求項２】
請求項１に記載の撮像装置において、
前記欠陥画素検出手段は、あらかじめ光学特性に応じた複数の閾値を格納している記憶手段と、
前記レンズの光学特性に応じて前記格納してる複数の閾値の中から一つの閾値を選択する選択手段と
を備えていることを特徴とする撮像装置。
【請求項３】
請求項１に記載の撮像装置において、
前記欠陥画素検出手段は、前記レンズの光学特性に応じて欠陥画素検出に用いる前記閾値を演算で求める演算手段と
を備えていることを特徴とする撮像装置。
【請求項４】
固体撮像素子を用いて撮影を行い、撮像データの画素毎の出力レベル差が閾値を超えているか否かに基づいて欠陥画素の判定を行うレンズ交換可能な固体撮像素子を用いた撮像装置において、
前記レンズ内に設けられた前記閾値を格納する記憶手段と、
前記記憶手段と前記撮像装置の間で、前記記憶手段に格納されている前記レンズの閾値をデータ通信する通信手段と、
前記通信手段から得られた前記閾値を用いて欠陥画素検出を行う欠陥画素検出手段と
を備えていることを特徴とする撮像装置。
【請求項５】
固体撮像素子を用いて撮影を行い、撮像データの画素毎の出力レベル差が閾値を超えているか否かに基づいて欠陥画素の判定を行うレンズ交換可能な固体撮像素子を用いた撮像装置において、
装着されているレンズの種別を特定するレンズ種別特定手段と、
前記レンズ種別特定手段によって特定された種別に基づいて、前記閾値を求める閾値特定手段と、
前記閾値特定手段によって求められた閾値を用いて欠陥画素検出を行う欠陥画素検出手段と
を備えていることを特徴とする撮像装置。
【請求項６】
請求項５に記載の撮像装置において、
前記撮像装置は表示手段と入力手段を備え、
前記レンズ種別特定手段は、前記液晶表示部に表示された複数のレンズ種別の中から一つの種別を特定し、又は前記入力手段はレンズの種別を特定可能な記号や番号や文字を入力することを特徴とする撮像装置。
【発明の詳細な説明】
【技術分野】
【０００１】
本発明は、ＣＣＤやＣＭＯＳ等の固体撮像素子を用いた撮像装置に関するものである。
【背景技術】
【０００２】
撮影時における固体撮像素子の欠陥画素の検出においては、画素の出力値が一定値以上となる画素、又は画素の出力値が一定値以下となる画素、又は周囲の画素との出力差又は出力比が一定値以上である画素を、欠陥画素として判定している。
この場合に判定に用いられる閾値としては、常に一定値を用いたり、あるいは露光時間や撮像感度設定、温度等に応じてあらかじめ設定された値を用いている。
【０００３】
また、特定パターンを撮影することでレンズ特性をカメラに学習させ、欠陥画素を検出するという手法も提案されている（特許文献１参照）。
【特許文献１】特開平１１−２０５６５２号公報
【発明の開示】
【発明が解決しようとする課題】
【０００４】
従来技術による撮影時の固体撮像素子の欠陥画素検出は、撮像装置のみの特性に着目したものであり、レンズや被写体等の条件は考慮されていない。したがって、従来技術では、使用される可能性のあるすべてのレンズにおいて、問題なく欠陥画素を検出するための閾値を設定する必要がある。
しかし、同じ微小点を撮影対象とした場合、ＭＴＦ（Modulation Transfer Function）の低いレンズ（解像度の低いレンズ）を通して撮像素子上に結像された像は、ＭＴＦの高いレンズ（解像度の高いレンズ）を通して撮像素子上に結像された像に比べて、隣接画素の出力レベル差が小さくなることがある。これは、ＭＴＦの低いレンズは解像度が低いため、隣接する画素間において電荷漏れ等が生じ、隣接画素の出力レベルに影響を与えることがあるためである。したがって、ＭＴＦの低いレンズは、隣接画素との差分の閾値を厳しい値（比較的小さな値）に設定して、欠陥画素を検出する必要がある。
【０００５】
一方、ＭＴＦの高いレンズは解像度が高いため、前記ＭＴＦの低いレンズのように、隣接する画素間において電荷漏れ等は起こりにくい。したがって、隣接画素の出力レベルは、正確な値であると考えられる。したがって、隣接画素間における出力レベル差が大きい場合でも、隣接画素の出力が正確であると考えられる。そのため、ＭＴＦの高いレンズは、隣接画素との差分の閾値を緩やかな値（大きい値）にして、欠陥画素の判定を行うことが可能である。
【０００６】
また、前記した特定パターンを撮影することでレンズ特性をカメラボディに学習させ、欠陥画素を検出するという従来技術は、あらかじめ決められた特定パターンを決められた条件下で撮影する必要があり、頻繁にレンズを交換しながら撮影するような状況下において、実際に運用することは難しい。
本発明の目的は、前記した従来技術の課題を解決するために為されたもので、固体撮像素子の欠陥画素を撮影時に正確に検出することが可能な撮像装置を提供することにある。
【課題を解決するための手段】
【０００７】
請求項１記載の撮像装置は、固体撮像素子を用いて撮影を行い、撮像データの画素毎の出力レベル差に基づいて欠陥画素の判定を行うレンズ交換可能な固体撮像素子を用いた撮像装置において、装着されているレンズの種別を識別するレンズ識別手段と、レンズ識別手段が識別したレンズの種別に基づいてレンズの光学特性を求め、求めた光学特性に応じて固体撮像素子の欠陥画素判定に用いる出力レベル差の閾値を定める欠陥画素検出手段とを備えていることを特徴とする。
【０００８】
請求項２記載の撮像装置は、請求項１に記載の撮像装置において、欠陥画素検出手段は、あらかじめ光学特性に応じた複数の閾値を格納している記憶手段と、レンズの光学特性に応じて格納している複数の閾値の中から一つの閾値を選択する選択手段とを備えていることを特徴とする。
請求項３記載の撮像装置は、請求項１に記載の撮像装置において、欠陥画素検出手段は、レンズの光学特性に応じて欠陥画素検出に用いる閾値を演算で求める演算手段とを備えていることを特徴とする。
【０００９】
請求項４記載の撮像装置は、固体撮像素子を用いて撮影を行い、撮像データの画素毎の出力レベル差が閾値を超えているか否かに基づいて欠陥画素の判定を行うレンズ交換可能な固体撮像素子を用いた撮像装置において、レンズ内に設けられた閾値を格納する記憶手段と、記憶手段と撮像装置の間で、記憶手段に格納されているレンズの閾値をデータ通信する通信手段と、通信手段から得られた閾値を用いて欠陥画素検出を行う欠陥画素検出手段とを備えていることを特徴とする。
【００１０】
請求項５記載の撮像装置は、固体撮像素子を用いて撮影を行い、撮像データの画素毎の出力レベル差が閾値を超えているか否かに基づいて欠陥画素の判定を行うレンズ交換可能な固体撮像素子を用いた撮像装置において、装着されているレンズの種別を特定するレンズ種別特定手段と、レンズ種別特定手段によって特定された種別に基づいて、閾値を求める閾値特定手段と、閾値特定手段によって求められた閾値を用いて欠陥画素検出を行う欠陥画素検出手段とを備えていることを特徴とする。
【００１１】
請求項６記載の撮像装置は、請求項５に記載の撮像装置において、撮像装置は表示手段と入力手段を備え、レンズ種別特定手段は、液晶表示部に表示された複数のレンズ種別の中から一つの種別を特定し、又は入力手段を用いてレンズの種別を特定可能な記号や番号や文字を入力することを特徴とする。
【発明の効果】
【００１２】
本発明によれば、撮影時に固体撮像素子の欠陥画素を正確に検出することが可能な撮像装置を提供することができる。
【発明を実施するための最良の形態】
【００１３】
以下添付の図面を用いて、本発明の実施形態について説明する。
図１は、本発明の実施形態の概要を示す説明図である。図１において、撮像装置として、レンズ交換可能なデジタルカメラを例にしている。図示するように、１は交換可能なレンズ、２はカメラボディ、１１はレンズ識別情報メモリ、２２はカメラボディ２側に設けられたメモリである。
【００１４】
図２は、図１に示すデジタルカメラのブロック図である。図示するように、レンズ側にはレンズ識別情報メモリ１１が設けられ、カメラボディ側にはＣＰＵ２１、メモリ２２、欠陥画素検出部２３が設けられている。
なお、図１、図２には示していないが、固体撮像素子から出力された画素毎のアナログ出力はＡ／Ｄ変換等の処理を施され、その後、欠陥画素検出部２３に入力される。欠陥画素検出部２３は、入力された画像データが欠陥画素の画像データであるか否かを判定する。欠陥画素であると判定された場合には、通常の欠陥画素に関する補整が行われる（図示せず）。
【００１５】
次に、欠陥画素検出部２３における欠陥画素の判定について説明する。
図１及び図２において、レンズ１に設けられたレンズ識別情報メモリ１１は、レンズ１の種別（例えば、型番Ａ、Ｂ、Ｃ等）を記憶している。例えば、レンズ１の種別は型番Ａであることを記憶している。他のレンズの場合は、例えば、種別が型番Ｂ、Ｃ、Ｄ、……、Ｎ等であることを記憶している。
【００１６】
図３は、カメラボディ２に設けられたメモリ２２に格納されている情報を示す図である。図３に示すように、種別Ａのレンズ１は、焦点距離５０ｍｍ、ｆ値１．４のレンズである。このレンズ１は、ＭＴＦ値が大きいレンズ（解像度が高い）であるため、隣接画素の出力レベルの差分で定義される閾値を「高」（緩やかな値：高い値）に設定する。ここで、「高」とは、図４の（ａ）に示すように、出力レベルの最高値が「２５６（階調）」の場合、例えば差が「２２０」の値を閾値とする。
【００１７】
同様に、ＭＴＦ値が中くらいのレンズ（解像度が中くらい）の場合、隣接画素の出力レベルの差分で定義される閾値を「中」に設定する。ここで、「中」とは、図４の（ｂ）に示すように、出力レベルの最高値が「２５６（階調）」の場合、例えば差が「１９０」の値を閾値とする。
同様に、ＭＴＦ値が低いレンズ（解像度が低い）の場合、隣接画素の出力レベルの差分で定義される閾値を「低」に設定する。ここで、「低」とは、図４の（ｃ）に示すように、出力レベルの最高値が「２５６（階調）」の場合、例えば差が「１７０」の値を閾値とする。
【００１８】
図２において、ＣＰＵ２１又は欠陥画素検出部２３は、レンズ１からの種別（型番）を示す情報に基づいて、欠陥画素検出部２３において欠陥画素の判定に用いる閾値を「高」、「中」、「低」のいずれかに定める。この実施形態の場合には、前記したように、「高」に定められる。
欠陥画素検出部２３は、画素毎に順次入力される出力レベルに関し、隣接画素の出力レベル差を取り、出力レベル差が前記閾値（２２０）を超えたら、当該画素を欠陥画素と判定する。超えなければ、正常な画素と判定する。
【００１９】
なお、以上に記載した実施形態では、連続して入力される隣接画素（水平方向）について説明したが、本発明はこれに限定されるものではなく、垂直方向の隣接画素ついて出力レベル差を取り、出力レベル差が前記閾値（２２０）を超えたら当該画素を欠陥画素と判定し、超えなければ正常な画素と判定してもよい。もちろん、水平方向と垂直方向の判定を共に行い、欠陥画素か否かを判定してもよい。
【００２０】
なお、前記した実施形態では、閾値を「高」、「中」、「低」の三種類に設定したが、設定の数は三つに限定されるものではなく、その数は任意である。
また、前記した実施形態では、レンズ１とカメラボディ２の間で、レンズの種別をデータ通信したが、本発明はこれに限定されるものではなく、例えばレンズ１が閾値のデータを格納するメモリを備え、レンズ１とカメラボディ２の間で閾値そのものをデータ通信してもよい。
【００２１】
図５は、欠陥画素か否かの閾値を定める他の例を示す図である。図５において、横軸はＭＴＦ値を示し、縦軸は閾値を示している。すなわち、図５では、レンズのＭＴＦ値に応じて、図２に示す欠陥画素検出部２３が欠陥画素であると判定する際の閾値を定める。図５から明らかなように、ＭＴＦ値が小さいほど閾値が低くなり、ＭＴＦ値が大きいほど閾値が高くなる。この例は、閾値をカメラボディ１において、演算により求めるものである。
【００２２】
なお、図１及び図２に示す実施形態では、レンズ１とカメラボディ２はデータ通信機能を備えているものとして説明したが、本発明はこれに限定されるものではなく、データ通信機能を持たないレンズやカメラボディでも、使用者がカメラボディにレンズを識別させることにより、前記した動作と同様の動作を実行することができる。例えば、使用者がメニュー画面からレンズを選択したり、レンズＩＤ等のレンズ種別を認識できる情報をカメラボディの操作部から入力する処理等を行うことで可能になる。
【００２３】
以上の説明から明らかなように、この実施形態によれば、撮像時に欠陥画素であると判定する閾値を正確に定めることができる。
【産業上の利用可能性】
【００２４】
本発明は、固体撮像素子を用いた撮像装置の分野において、産業上大いに利用することができる。
【図面の簡単な説明】
【００２５】
【図１】本発明の実施形態の概要を示す説明図である。
【図２】図１に示すデジタルカメラのブロック図である。
【図３】カメラボディ側のメモリに格納されている情報を示す図である。
【図４】欠陥画素か否かの閾値を定める説明図である。
【図５】欠陥画素か否かの閾値を定める他の例を示す図である。
【符号の説明】
【００２６】
１…レンズ、２…カメラボディ、１１…レンズ識別情報メモリ、２２…メモリ、２３…欠陥画素検出部
【図１】
2007019959.tif 000003
【図２】
2007019959.tif 000004
【図３】
2007019959.tif 000005
【図４】
2007019959.tif 000006
【図５】
2007019959.tif 000007